【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて当否判定が行われると所定の表示領域にて複数の図柄が変動表示され、停止表示されたときの態様が当り態様の場合に遊技者にとって有利な特別遊技を行う遊技機であって、
前記複数の図柄が前記当否判定の結果に基づいた態様で停止表示される前であって、前記複数の図柄のうち最終表示図柄を除く他の図柄が前記表示領域内の所定の停止表示位置に表示された状態で、前記最終表示図柄として前記当り態様を構成しない特殊図柄を前記表示領域内の所定の停止表示位置に表示させるか否かを示す特殊演出を、前記特殊図柄を認識可能としつつ行う特殊演出実行手段と、
前記特殊演出を経て、前記最終表示図柄として前記特殊図柄を前記停止表示位置に表示させる特殊図柄停止表示手段と、
前記特殊図柄が停止表示されると、前記複数の図柄を再変動表示させる再変動表示実行手段と、
を備え、
前記特殊演出実行手段は、実行時間が異なる複数の前記特殊演出の中から選択される一の前記特殊演出を実行可能であるとともに、
前記特殊演出として、前記特殊演出の実行時間が第１実行時間とされる第１特殊演出と、前記第１実行時間よりも長い第２実行時間とされる第２特殊演出を実行可能であり、前記第２特殊演出に基づく再変動表示の実行可能回数は、前記第１特殊演出に基づく再変動表示の実行可能回数よりも少なく、
前記特殊演出の実行回数が増える程、前記特殊図柄の表示態様が変化する
ことを特徴とする遊技機。
【請求項２】
請求項１に記載の遊技機であって、
前記特殊演出の実行回数が増える程、前記特殊図柄の色が変化し、前記当否判定の結果が当りの可能性が高い
ことを特徴とする遊技機。
【手続補正２】
【補正対象書類名】明細書
【補正対象項目名】０００７
【補正方法】変更
【補正の内容】
【０００７】
本発明の遊技機は、
始動口への遊技球の入球に基づいて当否判定が行われると所定の表示領域にて複数の図柄が変動表示され、停止表示されたときの態様が当り態様の場合に遊技者にとって有利な特別遊技を行う遊技機であって、
前記複数の図柄が前記当否判定の結果に基づいた態様で停止表示される前であって、前記複数の図柄のうち最終表示図柄を除く他の図柄が前記表示領域内の所定の停止表示位置に表示された状態で、前記最終表示図柄として前記当り態様を構成しない特殊図柄を前記表示領域内の所定の停止表示位置に表示させるか否かを示す特殊演出を、前記特殊図柄を認識可能としつつ行う特殊演出実行手段と、
前記特殊演出を経て、前記最終表示図柄として前記特殊図柄を前記停止表示位置に表示させる特殊図柄停止表示手段と、
前記特殊図柄が停止表示されると、前記複数の図柄を再変動表示させる再変動表示実行手段と、
を備え、
前記特殊演出実行手段は、実行時間が異なる複数の前記特殊演出の中から選択される一の前記特殊演出を実行可能であるとともに、
前記特殊演出として、前記特殊演出の実行時間が第１実行時間とされる第１特殊演出と、前記第１実行時間よりも長い第２実行時間とされる第２特殊演出を実行可能であり、前記第２特殊演出に基づく再変動表示の実行可能回数は、前記第１特殊演出に基づく再変動表示の実行可能回数よりも少なく、
前記特殊演出の実行回数が増える程、前記特殊図柄の表示態様が変化することを特徴とする。
また、前記特殊演出の実行回数が増える程、前記特殊図柄の色が変化し、前記当否判定の結果が当りの可能性が高いことを特徴とする。 
本明細書において、参考的に開示する関連発明の遊技機は、
始動口への遊技球の入球に基づいて当否判定が行われると、図柄表示手段の表示領域に
て複数の図柄が所定の変動方向に変動表示されるとともに、該変動表示を経て前記当否判
定の結果に基づいた態様で停止表示されるように構成された遊技機であって、
遊技の基本進行を司る主制御部と、
遊技の演出を司る副制御部と、
前記当否判定の結果を示す判定図柄を変動表示した後に停止表示する判定図柄表示手段
と、
前記複数の図柄が前記当否判定の結果に基づいた態様で停止表示される前であって、前
記複数の図柄のうち最終停止図柄を除く他の図柄が前記表示領域内の所定の停止表示位置
に停止表示された状態で、前記最終停止図柄として所定の特殊図柄が前記表示領域内の所
定の停止表示位置に停止表示されるか否かを示す停止前演出を、前記特殊図柄を認識可能
としつつ前記停止表示位置の近くで前記変動方向への変動と前記変動方向と逆方向への変
動とを繰り返す往復動作によって行う停止前演出実行手段と、
前記停止前演出を経て、前記最終停止図柄として前記特殊図柄を前記停止表示位置に停
止表示させる特殊図柄停止表示手段と、
前記特殊図柄が停止表示されると、前記複数の図柄若しくは前記最終停止図柄を再変動
表示させる再変動表示実行手段と、
を備え、
前記主制御部は、前記判定図柄の変動表示の開始に際して、当該変動表示に対応する変
動パターンを、予め定められた複数の変動パターンの中から選択し、
前記副制御部は、前記主制御部によって選択された前記変動パターンに基づいて、前記
図柄表示手段における前記複数の図柄の表示パターンを選択するとともに、前記主制御部
によって選択された前記変動パターンが特定変動パターンである場合には、前記表示パタ
ーンとして、
前記往復動作の実行回数が第１回数とされる第１停止前演出と、前記特殊図柄の停止表
示と、前記再変動表示とをこの順で第１特定回数行った後に、前記複数の図柄を前記当否
判定の結果に基づいた態様で停止表示させるパターン、
または、
前記往復動作の実行回数が前記第１回数よりも多い第２回数とされる第２停止前演出と
、前記特殊図柄の停止表示と、前記再変動表示とをこの順で第１特定回数よりも少ない第
２特定回数行った後に、前記複数の図柄を前記当否判定の結果に基づいた態様で停止表示
させるパターン、
を選択し、
前記停止前演出における前記往復動作の実行回数が多い程、前記当否判定の結果が当り
の可能性が高いことを特徴とする。
【手続補正３】
【補正対象書類名】明細書
【補正対象項目名】０００８
【補正方法】変更
【補正の内容】
【０００８】
関連発明の遊技機では、表示演出において「停止前演出（停止煽り演出）」を実行するばかりか、「停止前演出の実行パターンによって当り可能性（当り信頼度）を示す」といった新たな演出手法を使用する。
【手続補正４】
【補正対象書類名】明細書
【補正対象項目名】０００９
【補正方法】変更
【補正の内容】
【０００９】
つまり、遊技者が、特殊図柄の斬新な演出動作（停止前演出を構成する往復動作）に遭
遇することで、この遊技者の「演出に対する注目度」や「当りに対する期待度」を高める
ことができる。しかも、「停止前演出の実行パターンによって当り可能性（当り信頼度）
を示す」といった新たな演出手法を採用するため、新鮮味のある表示演出（図柄変動演出
）を実現できる。従って、関連発明によると、遊技者に強いインパクトを与える演出を実行可能で、遊技興趣を効果的に高めることができる。
【手続補正５】
【補正対象書類名】明細書
【補正対象項目名】００１０
【補正方法】変更
【補正の内容】
【００１０】
また、関連発明の遊技機では、（ａ）往復動作の回数が少ない停止前演出を実行するとともに再変動表示の実行回数を多くする場合と、（ｂ）往復動作の回数が多い停止前演出を実行するとともに再変動表示の実行回数を少なくする場合とで、当り可能性（当り信頼度）を同等とすることにより、演出のバリエーションを増加させ、遊技興趣を更に高めることを意図している。例えば、当否判定の結果が当りの場合、再変動表示の回数を多くすることで「実行中の表示演出（変動表示）」の当り信頼度が高いということを遊技者に認識させたり、往復動作の回数を多くすることで「実行中の表示演出（変動表示）」の当り信頼度が高いということを遊技者に認識させたりすることができる。
【手続補正６】
【補正対象書類名】明細書
【補正対象項目名】００１１
【補正方法】変更
【補正の内容】
【００１１】
つまり、関連発明によると、「再変動表示の実行回数の多少によって当り信頼度を示す表示演出（変動表示）」と、「停止前演出の実行パターン（往復動作の実行回数）によって当り信頼度を示す表示演出（変動表示）」とを択一的に実行する。このため、関連発明によると、演出のバリエーションを増加させ、遊技興趣を更に高めることができる。